(57)【要約】【課題】システム容量を増大させること。【解決手段】制御情報抽出部（１０５）は、制御情報に含まれるＣＱＩ個数指示情報を抽出する。受信品質測定部（１１３−１〜１１３−ｎ）は、通信帯域内の各サブキャリアの受信品質を測定する。ＣＱＩ生成部（１１４）は、通信帯域内における受信品質の良好な一部のサブキャリアのＣＱＩを生成する。多重部（１２２）は、ＣＱＩ、ＣＱＩを生成したサブキャリア番号情報及びＡＣＫ信号若しくはＮＡＣＫ信号を多重する。ＳＣ選択部（１２７）は、基地局装置からＣＱＩ個数指示情報により割り当てられた個数の受信品質の良好なサブキャリアを選択する。【選択図】図１
2010200347.tif 000002
【特許請求の範囲】
【請求項１】
基地局装置から要求情報を取得する取得手段と、
通信帯域内に含まれるサブキャリア帯域毎の受信品質を、受信信号から測定する測定手段と、
前記通信帯域内に含まれるサブキャリア帯域から複数のサブキャリア帯域を選択する選択手段と、
前記要求情報を受けて、選択された前記複数のサブキャリア帯域の受信品質を示す情報を前記基地局装置に報告する報告手段と、
を有する無線送信装置。
【請求項２】
前記報告手段はさらに、選択された前記複数のサブキャリア帯域のサブキャリア帯域番号を示す情報を報告する、
請求項１記載の無線送信装置。
【請求項３】
基地局装置から要求情報を取得し、
通信帯域内に含まれるサブキャリア帯域毎の受信品質を、受信信号から測定し、
前記通信帯域内に含まれるサブキャリア帯域から複数のサブキャリア帯域を選択し、
前記要求情報を受けて、選択された前記複数のサブキャリア帯域の受信品質を示す情報を前記基地局装置に報告する、
無線送信方法。
【請求項４】
さらに、選択された前記複数のサブキャリア帯域のサブキャリア帯域番号を示す情報を報告する、
請求項３記載の無線送信方法。
【請求項５】
通信帯域内に含まれるサブキャリア帯域毎の受信品質を、受信信号から測定する測定手段と、
前記サブキャリア帯域毎の受信品質を示す情報を基地局装置に報告する報告手段と、
を有する無線送信装置。
【発明の詳細な説明】
【技術分野】
【０００１】
本発明は、無線送信装置及び無線送信方法に関し、特に適応変調及びスケジューリングにより高速パケット通信を行うための無線送信装置及び無線送信方法に関する。
【背景技術】
【０００２】
従来、３ＧＰＰのＨＳＤＰＡ（High-Speed Downlink Packet Access）においては、下り回線高速パケット伝送のために、伝搬路状況に応じて変調方式を適応的に制御する適応変調と伝搬路状況が比較的良いユーザ信号を送信するスケジューリングが用いられている。beyond ３Ｇ移動通信システムの伝送方式として検討されているＯＦＤＭやＭＣ−ＣＤＭＡ（例えば、非特許文献１参照）等のマルチキャリア伝送においては、多数のサブキャリアを用いることにより高速伝送を実現しようとしている。このような伝送方式においては、適応変調やスケジューリングをサブキャリア毎に行なうことが検討されている。このような適応変調やスケジューリングを行うシステムでは、移動局は基地局に瞬時の各サブキャリアのチャネル品質情報（ＣＱＩ（Channel Quality Indicator））を報告することが必要となる。
【０００３】
移動局は、全サブキャリア分についてのサブキャリア毎の個別のＣＱＩを基地局に報告する。基地局は各移動局からのＣＱＩを考慮して所定のスケジューリングアルゴリズムに従って、各移動局について使用するサブキャリア、変調方式及び符号化率を決定する。一般的には、各移動局に対してそれぞれ伝搬路状況が比較的良好なサブキャリアを割り当て、その伝搬路状況において所定のパケット誤り率を満たせるような変調方式と符号化率を用いる。基地局が、複数の移動局に対して同時に送信する場合には、全ユーザからの全サブキャリアのＣＱＩを用いて周波数スケジューリングを行なう。即ち、６４本のサブキャリアがあれば、各移動局は６４個のＣＱＩを報告することが必要である。この場合、ＣＱＩを５ビットで表すとすると、１ユーザ当たり合計６４×５＝３２０ビットを各無線フレームで送信することが必要になる。
【先行技術文献】
【非特許文献】
【０００４】
【非特許文献１】原、川端、段、関口著「周波数スケジューリングを用いたMC-CDM方式」信学技報 RCS2002-129、2002年7月、pp.61-pp.66
【発明の概要】
【発明が解決しようとする課題】
【０００５】
しかしながら、上記従来の無線通信装置においては、ＣＱＩ報告のための信号量が膨大になってしまうため、上り回線の他のデータチャネル及び他セルに与える干渉が大きくなり、送信できるデータ容量が大きく減少してしまうという問題がある。また、ＣＱＩ報告のための信号量が膨大になることにより、移動局の消費電力が大きくなり電池の持ちが悪くなるという問題がある。
【０００６】
よって、本発明の目的は、送信する制御信号量を減らすことにより、送信できるデータ容量を増やすことができるとともに、消費電力を小さくすることができ、他の無線通信装置に対する干渉を減少させることによりシステム容量を増大させることができる無線送信装置及び無線送信方法を提供することである。
【課題を解決するための手段】
【０００７】
本発明の一形態によれば、無線通信装置は、受信信号より通信帯域内の複数のサブキャリアの受信品質をサブキャリア毎に測定する測定手段と、前記複数のサブキャリアの中から、測定された受信品質に関する所定の条件を満たすサブキャリアを選択する選択手段と、前記選択手段による選択の結果を報告する報告手段と、を具備する。
【０００８】
本発明の他の形態によれば、基地局装置は、通信相手装置での受信品質に関する所定の条件を満たすサブキャリアが通信帯域内の複数のサブキャリアの中から選択された選択結果の報告に基づいて適応的に選択された変調多値数でパケットデータを変調する変調手段と、前記報告に基づいて適応的に選択された符号化率でパケットデータを符号化する符号化手段と、前記報告に基づいて前記所定の条件を満たすサブキャリアを識別するとともに、識別されたサブキャリアの受信品質が良好なほど変調多値数または符号化率が大きいパケットデータが割り当てられるスケジューリングを行うスケジューリング手段と、を具備する。
【０００９】
本発明のさらに他の形態によれば、受信品質報告方法は、受信信号より通信帯域内の複数のサブキャリアの受信品質をサブキャリア毎に測定する測定ステップと、前記複数のサブキャリアの中から、測定された受信品質に関する所定の条件を満たすサブキャリアを選択する選択ステップと、前記選択ステップでの選択の結果を報告する報告ステップと、を具備する。
【発明の効果】
【００１０】
本発明によれば、送信する信号量を減らすことにより、送信できるデータ容量を増やすことができるとともに、消費電力を小さくすることができ、他の無線通信装置に対する干渉を減少させることによりシステム容量を増大させることができる。
【図面の簡単な説明】
【００１１】
【図１】本発明の実施の形態１に係る無線通信装置の構成を示すブロック図
【図２】本発明の実施の形態１に係る基地局装置の構成を示すブロック図
【図３】本発明の実施の形態１に係る周波数軸上のサブキャリアの配置を示す図
【図４】本発明の実施の形態１に係る信号フォーマットを示す図
【図５】本発明の実施の形態１に係る信号フォーマットを示す図
【図６】本発明の実施の形態２に係る無線通信装置の構成を示すブロック図
【図７】本発明の実施の形態３に係る無線通信装置の構成を示すブロック図
【図８】本発明の実施の形態３に係る基地局装置の構成を示すブロック図
【図９】本発明の実施の形態３に係る信号フォーマットを示す図
【図１０】本発明の実施の形態４に係る無線通信装置の構成を示すブロック図
【図１１】本発明の実施の形態４に係る基地局装置の構成を示すブロック図
【図１２】本発明の実施の形態４に係る信号フォーマットを示す図
【図１３】本発明の実施の形態４に係る信号フォーマットを示す図
【図１４】本発明の実施の形態５に係る無線通信装置の構成を示すブロック図
【図１５】本発明の実施の形態５に係る基地局装置の構成を示すブロック図
【発明を実施するための形態】
【００１２】
以下、本発明の実施の形態について、添付図面を参照して詳細に説明する。
【００１３】
（実施の形態１）
図１は、本発明の実施の形態１に係る無線通信装置１００の構成を示すブロック図である。
【００１４】
受信無線処理部１０２は、アンテナ１０１にて受信した受信信号を無線周波数からベースバンド周波数へダウンコンバート等してガードインターバル（以下「ＧＩ」と記載する）除去部１０３へ出力する。
【００１５】
ＧＩ除去部１０３は、受信無線処理部１０２から入力した受信信号よりＧＩを除去して高速フーリエ変換（以下「ＦＦＴ；Fast Fourier Transform」と記載する）部１０４へ出力する。
【００１６】
ＦＦＴ部１０４は、ＧＩ除去部１０３から入力した受信信号をシリアルデータ形式からパラレルデータ形式に変換した後、ＦＦＴして制御情報抽出部１０５、ユーザデータ抽出部１０８及びパイロット信号抽出部１１２へ出力する。
【００１７】
制御情報抽出部１０５は、ＦＦＴ部１０４から入力した受信信号より、基地局装置から送信されたＣＱＩ個数情報を含む制御情報を抽出して復調部１０６へ出力する。
【００１８】
復調部１０６は、制御情報抽出部１０５から入力した制御情報を復調処理して復号部１０７へ出力する。
【００１９】
復号部１０７は、復調部１０６から入力した復調された制御情報を復号化して制御情報を出力するとともに、制御情報に含まれるＣＱＩ個数情報をサブキャリア選択部（以下「ＳＣ選択部」と記載する）１２７へ出力する。
【００２０】
ユーザデータ抽出部１０８は、ＦＦＴ部１０４から入力した受信信号よりユーザデータを抽出して復調部１０９へ出力する。
【００２１】
復調部１０９は、ユーザデータ抽出部１０８から入力したユーザデータを復調処理して受信ＨＡＲＱ（Hybrid Automatic Repeat Request）部１１０へ出力する。
【００２２】
受信ＨＡＲＱ部１１０は、復調部１０９から入力したユーザデータが新規データであれば前記ユーザデータのすべてまたは一部を保存するとともに、前記ユーザデータを復号部１１１へ出力する。受信ＨＡＲＱ部１１０は、復調部１０９から入力したユーザデータが再送データであれば、保存していたユーザデータと再送データとを合成した後に保存するとともに、合成したユーザデータを復号部１１１へ出力する。
【００２３】
復号部１１１は、受信ＨＡＲＱ部１１０から入力したユーザデータを復号化してユーザデータを出力する。また、復号部１１１は、誤り検出復号を行いＡＣＫ／ＮＡＣＫ生成部１１９へ出力する。誤り検出は、ＣＲＣ（Cyclic Redundancy Check）を用いることが可能である。なお、誤り検出は、ＣＲＣに限らず任意の誤り検出方法を適用することが可能である。
【００２４】
パイロット信号抽出部１１２は、ＦＦＴ部１０４から入力した受信信号よりパイロット信号を抽出して受信品質測定部１１３−１〜１１３−ｎへ出力する。
【００２５】
受信品質測定部１１３−１〜１１３−ｎは、使用可能なサブキャリア数分設けられ、パイロット信号抽出部１１２から入力したパイロット信号を用いて、全てのサブキャリアについてのサブキャリア毎の受信品質を測定し、測定したサブキャリア毎の受信品質を示す測定値情報をＣＱＩ生成部１１４及びＳＣ選択部１２７へ出力する。測定値情報は、サブキャリア毎に測定したＣＩＲ（Carrier to Interference Ratio）またはＳＩＲ（Signal to Interference Ratio）等の任意の測定値を用いることが可能である。
【００２６】
受信品質情報生成手段であるＣＱＩ生成部１１４は、ＳＣ選択部１２７から入力した識別情報であるサブキャリア番号（以下「ＳＣ番号」と記載する）情報のサブキャリアについて、受信品質測定部１１３から入力した測定値情報と受信品質に応じて複数設定されるＣＱＩ選択用のしきい値（第２しきい値）とを比較して、サブキャリア毎にＣＱＩを選択して生成する。即ち、ＣＱＩ生成部１１４は、複数のＣＱＩ選択用のしきい値により区切られた受信品質を示す測定値の所定領域毎に、異なるＣＱＩが割り当てられたＣＱＩ選択用情報を保存した参照テーブルを有しており、受信品質測定部１１３から入力した測定値情報を用いてＣＱＩ選択用情報を参照することによりＣＱＩを選択する。ＣＱＩ生成部１１４は、１つのサブキャリアに対して１つのＣＱＩを生成するので、指示された個数のサブキャリアのＣＱＩを生成する。そして、ＣＱＩ生成部１１４は、生成したＣＱＩを符号化部１１５へ出力する。なお、サブキャリアを選択した後にＣＱＩを生成する場合に限らず、全てのサブキャリアについてのＣＱＩを生成した後に、ＣＱＩ個数情報に基づいて、生成したＣＱＩを選択するようにしても良い。
【００２７】
符号化部１１５は、ＣＱＩ生成部１１４から入力した指示された個数のサブキャリアのＣＱＩを符号化して変調部１１６へ出力する。
【００２８】
変調部１１６は、符号化部１１５から入力したＣＱＩを変調して多重部１２２へ出力する。
【００２９】
符号化部１１７は、ＳＣ選択部１２７から入力したＳＣ番号情報を符号化して変調部１１８へ出力する。
【００３０】
変調部１１８は、符号化部１１７から入力したＳＣ番号情報を変調して多重部１２２へ出力する。
【００３１】
ＡＣＫ／ＮＡＣＫ生成部１１９は、復号部１１１から入力した誤り検出結果情報より、再送が必要であれば誤り判定信号であるＮＡＣＫ信号を生成し、再送が必要でない場合には誤り判定信号であるＡＣＫ信号を生成し、生成したＮＡＣＫ信号またはＡＣＫ信号を符号化部１２０へ出力する。
【００３２】
符号化部１２０は、ＡＣＫ／ＮＡＣＫ生成部１１９から入力したＮＡＣＫ信号またはＡＣＫ信号を符号化して変調部１２１へ出力する。
【００３３】
変調部１２１は、符号化部１２０から入力したＮＡＣＫ信号またはＡＣＫ信号を変調して多重部１２２へ出力する。
【００３４】
多重部１２２は、変調部１１６から入力したＣＱＩ、変調部１１８から入力したＳＣ番号情報、及び変調部１２１から入力したＮＡＣＫ信号またはＡＣＫ信号を多重して送信データを生成し、生成した送信データをシリアル／パラレル（以下「Ｓ／Ｐ」と記載する）変換部１２３へ出力する。
【００３５】
Ｓ／Ｐ変換部１２３は、多重部１２２から入力した送信データをシリアルデータ形式からパラレルデータ形式に変換して逆高速フーリエ変換（以下「ＩＦＦＴ；Inverse Fast Fourier Transform」と記載する）部１２４へ出力する。
【００３６】
ＩＦＦＴ部１２４は、Ｓ／Ｐ変換部１２３から入力した送信データを逆高速フーリエ変換してＧＩ挿入部１２５へ出力する。
【００３７】
ＧＩ挿入部１２５は、ＩＦＦＴ部１２４から入力した送信データにＧＩを挿入して送信無線処理部１２６へ出力する。
【００３８】
送信無線処理部１２６は、ＧＩ挿入部１２５から入力した送信データをベースバンド周波数から無線周波数へアップコンバート等してアンテナ１０１より送信する。
【００３９】
選択手段であるＳＣ選択部１２７は、復号部１０７から入力したＣＱＩ個数情報と受信品質測定部１１３−１〜１１３−ｎから入力した測定値情報とにより、ＣＱＩ個数情報により指示された個数のサブキャリアを受信品質が良好な順番に選択する。そして、ＳＣ選択部１２７は、選択したサブキャリアをＳＣ番号情報としてＣＱＩ生成部１１４及び符号化部１１７へ出力する。このように、ＳＣ選択部１２７は、制御局装置により指示された個数のサブキャリアを選択する。なお、ＳＣ選択部１２７は、受信品質が良好な順番にサブキャリアを選択する場合に限らず、所定のしきい値を設定して、受信品質がしきい値以上のサブキャリアの中から、ＣＱＩ個数情報により指示された個数の任意のサブキャリアを選択するようにしても良い。
【００４０】
次に、無線通信装置１００の上位局装置である基地局装置の構成について、図２を用いて説明する。図２は、基地局装置２００の構成を示すブロック図である。
【００４１】
制御情報抽出部２０５、復調部２０６、復号部２０７、符号化部２０９、送信ＨＡＲＱ部２１０、変調部２１１、符号化部２１２及び変調部２１３は、送信データ処理部２２１−１〜２２１−ｎを構成する。送信データ処理部２２１−１〜２２１−ｎは、ユーザ数設けられるものであり、各送信データ処理部２２１−１〜２２１−ｎは、１ユーザに送信する送信データの処理を行う。また、符号化部２１２及び変調部２１３は、制御用データ送信処理部２２０を構成する。
【００４２】
受信無線処理部２０２は、アンテナ２０１にて受信した受信信号を無線周波数からベースバンド周波数ヘダウンコンバート等してＧＩ除去部２０３へ出力する。
【００４３】
ＧＩ除去部２０３は、受信無線処理部２０２から入力した受信信号からＧＩを除去してＦＦＴ部２０４へ出力する。
【００４４】
ＦＦＴ部２０４は、ＧＩ除去部２０３から入力した受信信号をシリアルデータ形式からパラレルデータ形式に変換した後、ユーザ毎の受信信号に分離して各制御情報抽出部２０５へ出力する。
【００４５】
制御情報抽出部２０５は、ＦＦＴ部２０４から入力した受信信号より制御情報を抽出して復調部２０６へ出力する。
【００４６】
復調部２０６は、制御情報抽出部２０５から入力した制御情報を復調して復号部２０７へ出力する。
【００４７】
復号部２０７は、復調部２０６から入力した受信信号を復号化して受信信号に含まれる指示した個数のサブキャリア毎のＣＱＩを制御部２０８へ出力する。また、復号部２０７は、復調部２０６から入力した受信信号を復号化して受信信号に含まれるＳＣ番号情報を制御部２０８へ出力する。さらに、復号部２０７は、復調部２０６から入力した受信信号を復号化して受信信号に含まれるＮＡＣＫ信号またはＡＣＫ信号を送信ＨＡＲＱ部２１０へ出力する。
【００４８】
スケジューリング手段である制御部２０８は、復号部２０７から入力した各ユーザの無線通信装置１００のＣＱＩ及びＳＣ番号情報より、スケジューリングアルゴリズムに基づいてスケジューリングを行うとともに、変調多値数及び符号化率等のＭＣＳ（Modulation Coding Schemes）を適応的に選択する。即ち、制御部２０８は、各ユーザの無線通信装置１００から送られてきたサブキャリア毎のＣＱＩ及びＳＣ番号情報より、各無線通信装置１００のサブキャリア毎の受信品質を判定することができるので、各無線通信装置１００の各サブキャリアの受信品質に応じたＭＣＳを選択する。制御部２０８は、使用可能なサブキャリア数を把握しており、使用可能なサブキャリアの範囲内にて各無線通信装置１００へ送信する送信データをサブキャリア毎に割り当てる。この時、制御部２０８は、無線通信装置１００からＣＱＩが送られてきていないサブキャリアについての受信品質は、最も悪いものとして割り当てを行う。そして、制御部２０８は、各サブキャリアについての選択した符号化率情報を符号化部２０９へ出力し、各サブキャリアについての選択した変調方式情報を変調部２１１へ出力するとともに、スケジューリングにより各無線通信装置１００に割り当てたサブキャリアの情報をサブキャリア割当て部２１５へ出力する。
【００４９】
符号化部２０９は、制御部２０８から入力した符号化率情報に基づいて、入力した送信データを符号化して送信ＨＡＲＱ部２１０へ出力する。
【００５０】
送信ＨＡＲＱ部２１０は、符号化部２０９から入力した送信データを変調部２１１へ出力するとともに、変調部２１１へ出力した送信データを一時的に保持する。そして、送信ＨＡＲＱ部２１０は、復号部２０７からＮＡＣＫ信号が入力した場合には、無線通信装置１００より再送要求されているため、一時的に保持している出力済みの送信データを再度変調部２１１へ出力する。一方、送信ＨＡＲＱ部２１０は、復調部２０７からＡＣＫ信号が入力した場合には、新規な送信データを変調部２１１へ出力する。
【００５１】
変調部２１１は、制御部２０８から入力した変調方式情報に基づいて、送信ＨＡＲＱ部２１０から入力した送信データを変調して多重部２１４へ出力する。
【００５２】
符号化部２１２は、基地局装置２００の上位局装置である図示しない制御局装置から入力した制御用データとＣＱＩ個数情報を符号化して変調部２１３へ出力する。なお、ＣＱＩ個数情報は、制御局装置から入力する場合に限らず、基地局装置２００が設定しても良い。また、ＣＱＩ個数情報はユーザ数やトラヒック量を考慮して設定することもできる。また移動局毎にその移動局の受信能力に応じた値を設定することもできる。
【００５３】
変調部２１３は、符号化部２１２から入力した制御用データ及びＣＱＩ個数情報を変調して多重部２１４へ出力する。
【００５４】
多重部２１４は、変調部２１１から入力した送信データと変調部２１３から入力した制御用データ及びＣＱＩ個数情報とを、各ユーザの無線通信装置１００へ送信するデータ毎に多重してサブキャリア割当て部２１５へ出力する。ＣＱＩ個数情報は、各ユーザの無線通信装置１００に固有の情報である。
【００５５】
サブキャリア割当て部２１５は、制御部２０８から入力した各無線通信装置１００のサブキャリアの情報に基づいて、多重部２１４から入力した多重信号を並べ替えてＳ／Ｐ変換部２１６へ出力する。
【００５６】
Ｓ／Ｐ変換部２１６は、サブキャリア割当て部２１５から入力した送信データをシリアルデータ形式からパラレルデータ形式に変換してＩＦＦＴ部２１７へ出力する。
【００５７】
ＩＦＦＴ部２１７は、Ｓ／Ｐ変換部２１６から入力した送信データをＩＦＦＴしてＧＩ挿入部２１８へ出力する。ＩＦＦＴ部１２７にてＩＦＦＴされた各無線通信装置１００へ送信する送信データは、制御部２０８において周波数スケジューリングされたサブキャリアに割り当てられる。
【００５８】
ＧＩ挿入部２１８は、ＩＦＦＴ部２１７から入力した送信データにＧＩを挿入して送信無線処理部２１９へ出力する。
【００５９】
送信無線処理部２１９は、ＧＩ挿入部２１８から入力した送信データをベースバンド周波数から無線周波数にアップコンバート等してアンテナ２０１より送信する。
【００６０】
次に、無線通信装置１００におけるサブキャリアを選択する方法及び選択したサブキャリアのＣＱＩを送信する際の送信信号のフォーマットについて、図３〜図５を用いて説明する。
【００６１】
図３は、所定の通信帯域幅Ｆ１の範囲内に割り当てられる６４個のサブキャリアを示すものである。基地局装置２００は、１番〜６４番までのサブキャリアを使って、全てのユーザの無線通信装置１００へ高速パケットデータを送信する。受信品質測定部１１３−１〜１１３−ｎにおける受信品質測定結果より、１１番〜２１番のサブキャリア及び３４番〜４１番のサブキャリアの受信品質が良好である場合、ＳＣ選択部１２７は、１１番〜２１番のサブキャリア及び３４番〜４１番のサブキャリアを選択する。そして、ＣＱＩ生成部１１４は、１１番〜２１番のサブキャリア及び３４番〜４１番のサブキャリアのみのＣＱＩを生成するとともに、１１番〜２１番のサブキャリア及び３４番〜４１番のサブキャリアのＳＣ番号情報を生成する。一方、ＣＱＩ生成部１１４は、１１番〜２１番のサブキャリア及び３４番〜４１番のサブキャリア以外のサブキャリアのＣＱＩ及びＳＣ番号情報は生成しない。
【００６２】
図４は、無線通信装置１００から基地局装置２００へ送信される信号のフォーマットを示すものである。６ビットのＳＣ番号情報と５ビットのＣＱＩとが一対となって１個のサブキャリアの制御情報が構成される。そして、多重部１２２から出力される制御情報は、図４に示すように、ＣＱＩ生成部１１４にてＣＱＩを生成された各サブキャリアの１対の制御情報と１ビットのＡＣＫ／ＮＡＣＫ信号とが時分割多重された信号である。
【００６３】
図５は、無線通信装置１００から基地局装置２００へ送信される信号のフォーマットの他の例を示すものである。１ビットのＳＣ番号情報と５ビットのＣＱＩとにより１個のサブキャリアの制御情報が構成される。そして、多重部１２２から出力される制御情報は、図５に示すように、先頭から６４ビットの６４個の各サブキャリアのＳＣ番号情報、ＣＱＩ生成部１１４にてＣＱＩが生成されたサブキャリアのみについてのＣＱＩ及び１ビットのＡＣＫ／ＮＡＣＫ信号が時分割多重された信号である。ＳＣ番号情報は、６４個のサブキャリアの１番のサブキャリアから順番に時分割多重されるものであり、ＣＱＩが生成されているサブキャリアのＳＣ番号情報は「１」とし、ＣＱＩが生成されていないサブキャリアのＳＣ番号情報は「０」とする。したがって、１ビット目、２ビット目〜１０ビット目、２２ビット目〜３３ビット目及び４２ビット目〜６４ビット目までは「０」となり、１１ビット目〜２１ビット目及び３４ビット目〜４１ビット目までは「１」となる。
【００６４】
このようなＣＱＩ及びＳＣ番号情報を受け取った基地局装置２００において、制御部２０８は、１１番〜２１番のサブキャリア及び３４番〜４１番のサブキャリアを優先的に割り当てる等により、各無線通信装置１００について、サブキャリア毎のスケジューリングを行うことができる。また、前記サブキャリアに対して、誤りを少なくする必要があるデータ（例えば、重要度の高い制御データまたは再送データ等）をマッピングすることも考えられる。
【００６５】
このように、本実施の形態１によれば、基地局装置から指示された個数の受信品質が良好なサブキャリアを選択して、選択したサブキャリアのＣＱＩを生成して送信するので、上り回線にて送信する信号量を減らすことにより、送信できるデータ容量を増やすことができるとともに、消費電力を小さくすることができ、他の無線通信装置に対する干渉を減少させることによりシステム容量を増大させることができる。また、本実施の形態１によれば、選択されたサブキャリアのＣＱＩのみを生成するので、ＣＱＩを生成する際の処理時間を短くすることができる。また、本実施の形態１によれば、ＣＱＩを生成するサブキャリアを選択する際の指示は、基地局装置からＣＱＩの個数を指示する指示情報を送信するだけで良いので、下り回線において、送信する信号量を増大させることなく上り回線の送信する信号量を減らすことができる。
【００６６】
（実施の形態２）
図６は、本発明の実施の形態２に係る無線通信装置６００の構成を示すブロック図である。
【００６７】
本実施の形態２に係る無線通信装置６００は、図１に示す実施の形態１に係る無線通信装置１００において、図６に示すように、ＳＣ選択部１２７を除き、しきい値判定部６０１を追加する。なお、図６においては、図１と同一構成である部分には同一の符号を付してその説明は省略する。また、基地局装置の構成は、ＣＱＩ個数情報を送信する代わりにＣＱＩしきい値情報を送信する以外は図２と同一構成であるので、その説明は省略する。
【００６８】
復号部１０７は、復調部１０６から入力した復調された制御情報を復号化して制御情報を出力するとともに、制御情報に含まれるＣＱＩしきい値情報をしきい値判定部６０１へ出力する。
【００６９】
ＣＱＩ生成部１１４は、受信品質測定部１１３から入力した測定値情報より、全てのサブキャリアについてのサブキャリア毎のＣＱＩを生成する。即ち、ＣＱＩ生成部１１４は、複数のＣＱＩ選択用のしきい値により区切られた受信品質を示す測定値の所定領域毎に、異なるＣＱＩが割り当てられたＣＱＩ選択用情報を保存した参照テーブルを有しており、受信品質測定部１１３から入力した測定値情報を用いてＣＱＩ選択用情報を参照することによりＣＱＩを選択する。そして、ＣＱＩ生成部１１４は、生成したＣＱＩをしきい値判定部６０１へ出力する。なお、ＣＱＩ生成部１１４は、全てのサブキャリアのＣＱＩを生成する場合に限らず、各サブキャリアの受信品質をしきい値判定することによりサブキャリアを選択した後にＣＱＩを生成するようにしても良い。
【００７０】
選択手段であるしきい値判定部６０１は、ＣＱＩ生成部１１４から入力したＣＱＩと復号部１０７から入力した第１しきい値であるＣＱＩしきい値情報とを用いて、受信品質がしきい値以上であるＣＱＩのみを選択し、選択したＣＱＩを符号化部１１５へ出力するとともに、選択したＣＱＩのＳＣ番号情報を符号化部１１７へ出力する。具体的には、レベル１〜８までの８段階のＣＱＩを用いる場合、しきい値をレベル５以上とした場合にはレベル５以上のＣＱＩのみを選択し、しきい値をレベル４以上とした場合にはレベル４以上のＣＱＩのみを選択する。しきい値判定部６０１は、選択したＣＱＩがレベル１〜８の８段階の内のいずれのレベルであるかを示す８段階の情報を出力する方法、または、例えばしきい値をレベル５以上とした場合でかつ生成したＣＱＩがレベル７である場合には、しきい値に対する相対値である２を出力するような相対値の情報を出力する方法等を採用することが可能である。８段階の情報を出力する方法を採用した場合には、１〜８段階を表すために３ビット必要であるのに対して、相対値の情報を出力する方法を採用した場合には、しきい値との差が０〜３であれば２ビットの情報量で良いので、相対値の情報を送信する場合には信号の送信量を減らすことができる。相対値の情報を出力する方法を採用する場合には、基地局装置は、無線通信装置６００と共通のしきい値情報を記憶している。なお、無線通信装置６００におけるＣＱＩを選択する方法及び選択したＣＱＩを送信する際の送信信号のフォーマットについては、図３〜図５と同一であるのでその説明は省略する。
【００７１】
このように、本実施の形態２によれば、基地局装置から指示されたしきい値以上の受信品質を満たすサブキャリアを選択して、選択したサブキャリアのＣＱＩを生成して送信するので、上り回線にて送信する信号量を減らすことにより、送信できるデータ容量を増やすことができるとともに、消費電力を小さくすることができ、他の無線通信装置に対する干渉を減少させることによりシステム容量を増大させることができる。また、本実施の形態１によれば、ＣＱＩを生成するサブキャリアを選択する際の指示は、基地局装置からしきい値を指示する指示情報を送信するだけで良いので、下り回線において、送信する信号量を増大させることなく上り回線の送信する信号量を減らすことができる。
【００７２】
（実施の形態３）
図７は、本発明の実施の形態３に係る無線通信装置７００の構成を示すブロック図である。
【００７３】
本実施の形態３に係る無線通信装置７００は、図１に示す実施の形態１に係る無線通信装置１００において、図７に示すように、符号化部１１７、変調部１１８及びＳＣ選択部１２７を除き、しきい値判定部７０１、使用サブキャリア選択部７０２及び拡散部７０３を追加する。なお、図７においては、図１と同一構成である部分には同一の符号を付してその説明は省略する。
【００７４】
ＣＱＩ生成部１１４は、受信品質測定部１１３から入力した測定値情報より、全てのサブキャリアについてのサブキャリア毎のＣＱＩを生成する。即ち、ＣＱＩ生成部１１４は、複数のＣＱＩ選択用のしきい値により区切られた受信品質を示す測定値の所定領域毎に、異なるＣＱＩが割り当てられたＣＱＩ選択用情報を保存した参照テーブルを有しており、受信品質測定部１１３から入力した測定値情報を用いてＣＱＩ選択用情報を参照することによりＣＱＩを選択する。そして、ＣＱＩ生成部１１４は、生成したＣＱＩをしきい値判定部７０１へ出力する。なお、ＣＱＩ生成部１１４は、全てのサブキャリアのＣＱＩを生成する場合に限らず、各サブキャリアの受信品質をしきい値判定することによりサブキャリアを選択した後にＣＱＩを生成するようにしても良い。
【００７５】
選択手段であるしきい値判定部７０１はＣＱＩ生成部１１４から入力したＣＱＩと復号部１０７から入力したＣＱＩしきい値情報とを用いて、受信品質がしきい値以上であるＣＱＩのみを選択し、選択したＣＱＩを符号化部１１５へ出力するとともに、選択したＣＱＩのＳＣ番号情報を使用サブキャリア選択部７０２へ出力する。しきい値判定部７０１は、上記実施の形態２におけるしきい値判定部６０１と同様に、選択したＣＱＩがレベル１〜８の８段階の内のいずれのレベルであるかを示す８段階の情報を出力する方法、または相対値の情報を出力する方法の何れかを採用してしきい値判定をすることができる。
【００７６】
使用サブキャリア選択部７０２は、しきい値判定部７０１から入力したＳＣ番号情報よりＣＱＩが生成されたサブキャリアまたは、そのサブキャリアにあらかじめ１対１に対応付けられたサブキャリアを送信サブキャリアとして選択し、ＣＱＩを拡散部７０３へ出力する。
【００７７】
拡散部７０３は、使用サブキャリア選択部７０２から入力した各ＣＱＩをＣＱＩ用拡散コードを用いて拡散処理して、ＣＱＩ信号を使用サブキャリア選択部７０２で割り当てたサブキャリアに割り当てて多重部１２２へ出力する。ＣＱＩ用拡散コードは、各ユーザの無線通信装置７００毎に異なる拡散コードであり、かつ各ユーザの無線通信装置７００の全てのサブキャリア及びＣＱＩについては同一の拡散コードを用いる。なお、ＳＣ番号情報は送信しないので、拡散部７０３は、ＳＣ番号情報については拡散処理しない。
【００７８】
多重部１２２は、拡散部７０３から入力したＣＱＩと変調部１２１から入力したＮＡＣＫ信号またはＡＣＫ信号を多重してＳ／Ｐ変換部１２３へ出力する。多重部１２２にて多重された送信信号は、各サブキャリアのＣＱＩが自身のサブキャリアに割り当てられるか、または各サブキャリアのＣＱＩが一対一に対応させたサブキャリアに割り当てられるかの何れかの状態になる。なお、サブキャリアの割り当て方法の詳細については、後述する。
【００７９】
次に、本実施の形態３に係る基地局装置の構成について、図８を用いて説明する。図８は、基地局装置８００の構成を示すブロック図である。
【００８０】
本実施の形態３に係る基地局装置８００は、図２に示す実施の形態１に係る基地局装置２００において、図８に示すように、逆拡散部８０１及びサブキャリア判定部８０２を追加する。なお、図８においては、図２と同一構成である部分には同一の符号を付してその説明は省略する。
【００８１】
制御情報抽出部２０５、復調部２０６、復号部２０７、符号化部２０９、送信ＨＡＲＱ部２１０、変調部２１１、符号化部２１２、変調部２１３、逆拡散部８０１及びサブキャリア判定部８０２は、送信データ処理部８０３−１〜８０３−ｎを構成する。送信データ処理部８０３−１〜８０３−ｎは、ユーザ数設けられるものであり、各送信データ処理部８０３−１〜８０３−ｎは、１ユーザに送信する送信データの処理を行う。
【００８２】
逆拡散部８０１は、基地局装置８００が通信を行っている１のユーザの無線通信装置７００にて使用される複数の拡散コードを記憶している。そして、逆拡散部８０１は、制御情報抽出部２０５から入力した全ての各サブキャリアについて、記憶している拡散コードにて逆拡散処理してサブキャリア判定部８０２へ出力する。なお、各無線通信装置７００は、異なる拡散コードを使用しているため、各送信データ処理部８０３−１〜８０３−ｎの逆拡散部８０１は、各々異なる拡散コードを記憶している。
【００８３】
サブキャリア判定部８０２は、逆拡散部８０１から入力した逆拡散出力がしきい値以上のサブキャリアを無線通信装置７００にて選択されたサブキャリアと判断し、受信品質がしきい値以上のサブキャリアのＳＣ番号情報を制御部２０８及び復調部２０６へ出力する。なお、サブキャリア判定部８０２は、無線通信装置７００からはＳＣ番号情報は送信されないので、あらかじめ無線通信装置７００と共通のＳＣ番号情報を記憶している。また、フェージングによる受信品質変動も考慮して、受信品質はパイロット信号の受信品質に対する相対値とする。
【００８４】
復号部２０７は、復調部２０６から入力した受信信号を復号化して受信信号に含まれる指示した個数のサブキャリア毎のＣＱＩを制御部２０８へ出力する。また、復号部２０７は、復調部２０６から入力した受信信号を復号化して受信信号に含まれるＮＡＣＫ信号またはＡＣＫ信号を送信ＨＡＲＱ部２１０へ出力する。
【００８５】
制御部２０８は、復号部２０７から入力した各ユーザの無線通信装置７００のＣＱＩとサブキャリア判定部８０２から入力した各ユーザの無線通信装置７００のＳＣ番号情報とを用いて、スケジューリングアルゴリズムに基づいてスケジューリングを行うとともに、変調多値数及び符号化率等のＭＣＳを適応的に選択する。即ち、制御部２０８は、各ユーザの無線通信装置７００から送られてきたサブキャリア毎のＣＱＩとサブキャリア判定部８０２から入力した各ユーザの無線通信装置７００のＳＣ番号情報とを用いることにより、各無線通信装置７００のサブキャリア毎の受信品質を判定することができるので、各無線通信装置７００の各サブキャリアの受信品質に応じたＭＣＳを選択する。また、制御部２０８は、各無線通信装置７００において受信品質の良好なサブキャリアに、その無線通信装置７００へ送信するデータを割り当てることができる。制御部２０８は、使用可能なサブキャリア数を把握しており、使用可能なサブキャリアの範囲内にて各無線通信装置７００へ送信する送信データをサブキャリア毎に割り当てる。この時、制御部２０８は、無線通信装置７００からＣＱＩが送られてきていないサブキャリアについての受信品質は、最も悪いものとして割り当てを行う。そして、制御部２０８は、各サブキャリアについての選択した符号化率情報を符号化部２０９へ出力し、各サブキャリアについての選択した変調方式情報を変調部２１１へ出力するとともに、スケジューリングにより各無線通信装置７００に割り当てたサブキャリアの情報をサブキャリア割当て部２１５へ出力する。
【００８６】
次に、無線通信装置７００におけるＣＱＩを選択してサブキャリアに割り当てる方法及び選択したＣＱＩを送信する際の送信信号のフォーマットについて、図３及び図９を用いて説明する。サブキャリアの割り当て方法としては、各サブキャリアのＣＱＩを自身のサブキャリアに割り当てる方法、または各サブキャリアのＣＱＩを一対一に対応させた他のサブキャリアに割り当てる方法の２つの方法を採用することが可能である。
【００８７】
最初に、各サブキャリアのＣＱＩを自身のサブキャリアに割り当てる方法について説明する。図３において、受信品質測定部１１３−１〜１１３−ｎにおける受信品質測定結果より、１１番〜２１番のサブキャリア及び３４番〜４１番のサブキャリアの受信品質が良好である場合、しきい値判定部７０１は、１１番〜２１番のサブキャリア及び３４番〜４１番のサブキャリアのＣＱＩを選択するとともに、使用サブキャリア選択部７０２は、１１番〜２１番のＣＱＩは１１番〜２１番のサブキャリアに割り当てるとともに、３４番〜４１番のサブキャリアのＣＱＩは３４番〜４１番のサブキャリアに割り当てる。一方、しきい値判定部７０１は、１１番〜２１番のサブキャリア及び３４番〜４１番のサブキャリア以外のサブキャリアのＣＱＩ及びＳＣ番号情報は選択しない。
【００８８】
次に、各サブキャリアのＣＱＩを一対一に対応させた他のサブキャリアに割り当てる方法について説明する。図３において、受信品質測定部１１３−１〜１１３−ｎにおける受信品質測定結果より、１１番〜２１番のサブキャリア及び３４番〜４１番のサブキャリアの受信品質が良好である場合、しきい値判定部７０１は、１１番〜２１番のサブキャリア及び３４番〜４１番のサブキャリアのＣＱＩを選択するとともに、使用サブキャリア選択部７０２は、１１番〜２１番のＣＱＩを一対一に各々対応させた２２番〜３２番のサブキャリアに割り当てるとともに、３４番〜４１番のサブキャリアのＣＱＩを一対一に各々対応させた５１番〜５７番のサブキャリアに割り当てる。一方、しきい値判定部７０１は、１１番〜２１番のサブキャリア及び３４番〜４１番のサブキャリア以外のサブキャリアのＣＱＩ及びＳＣ番号情報は選択しない。なお、ＣＱＩを生成したサブキャリアと一対一対応させたサブキャリアは、無線通信装置７００と基地局装置８００との間であらかじめ記憶しておくことにより、基地局装置８００は受信したＣＱＩが何れのサブキャリアのＣＱＩであるかを認識することができる。
【００８９】
図９は、無線通信装置７００から基地局装置８００へ送信される信号のフォーマットを示すものである。図９に示すように、しきい値判定部７０１にてしきい値判定により選択されたサブキャリアについての５ビットの各ＣＱＩと、ＡＣＫ信号またはＮＡＣＫ信号とから構成される制御情報が時分割多重されて送信される。
【００９０】
このように、本実施の形態３によれば、基地局装置から指示されたしきい値以上の受信品質を満たすサブキャリアを選択して、選択したサブキャリアのＣＱＩを生成して送信するので、上り回線にて送信する信号量を減らすことにより、送信できるデータ容量を増やすことができるとともに、消費電力を小さくすることができ、他の無線通信装置に対する干渉を減少させることによりシステム容量を増大させることができる。また、本実施の形態３によれば、選択された受信品質が良好なサブキャリアにＣＱＩを割り当てるので、基地局装置８００は、品質の良いＣＱＩを取得することができる。また、本実施の形態３によれば、各サブキャリアについて生成したＣＱＩを、ＣＱＩを生成した自身のサブキャリアに割り当てるので、ＳＣ番号情報を送信しなくても基地局装置８００は何れのサブキャリアのＣＱＩであるのかを判定することができることにより、ＳＣ番号情報を送信しない分だけ信号の送信量を少なくすることができる。また、複信方式がＴＤＤである場合には上り下りの回線で伝搬路特性がほぼ同一であるために、下り回線の受信品質の良好なサブキャリアを上り回線でも用いられることになる。つまりＣＱＩ信号を良好な伝搬路を用いて送信できることになる。
【００９１】
また、本実施の形態３によれば、ＣＱＩを生成するサブキャリアを選択する際の指示は、基地局装置からしきい値を指示する指示情報を送信するだけで良いので、下り回線において、送信する信号量を増大させることなく上り回線の送信する信号量を減らすことができる。また、本実施の形態３によれば、各ユーザの無線通信装置７００に固有の拡散コードを用いてサブキャリア及びＣＱＩを拡散処理するので、複数のユーザの無線通信装置７００から同一のサブキャリアについてのＣＱＩが送信されてきた場合において、基地局装置８００は何れのユーザの無線通信装置７００から送られてきたものであるのかを見分けることができる。
【００９２】
（実施の形態４）
図１０は、本発明の実施の形態４に係る無線通信装置１０００の構成を示すブロック図である。
【００９３】
本実施の形態４に係る無線通信装置１０００は、図１に示す実施の形態１に係る無線通信装置１００において、図１０に示すように、ＣＱＩ生成部１１４、符号化部１１５及び変調部１１６を除くものである。なお、図１０においては、図１と同一構成である部分には同一の符号を付してその説明は省略する。
【００９４】
ＳＣ選択部１２７は、復号部１０７から入力したＣＱＩ個数情報と受信品質測定部１１３−１〜１１３−ｎから入力した測定値情報とより、ＣＱＩ個数情報により指示された個数のサブキャリアを受信品質が良好な順番に選択する。そして、ＳＣ選択部１２７は、選択したサブキャリアをＳＣ番号情報として符号化部１１７へ出力する。
【００９５】
多重部１２２は、変調部１１８から入力したＳＣ番号情報及び変調部１２１から入力したＮＡＣＫ信号またはＡＣＫ信号を多重して送信データを生成し、生成した送信データをＳ／Ｐ変換部１２３へ出力する。
【００９６】
次に、本実施の形態４に係る基地局装置１１００の構成について、図１１を用いて説明する。図１１は、基地局装置１１００の構成を示すブロック図である。なお、図１１においては、図２と同一構成である部分には同一の符号を付してその説明は省略する。
【００９７】
復号部２０７は、復調部２０６から入力した受信信号を復号化して受信信号に含まれるＳＣ番号情報を制御部２０８へ出力する。また、復号部２０７は、復調部２０６から入力した受信信号を復号化して受信信号に含まれるＮＡＣＫ信号またはＡＣＫ信号を送信ＨＡＲＱ部２１０へ出力する。
【００９８】
制御部２０８は、復号部２０７から入力した各ユーザの無線通信装置１０００のＳＣ番号情報より、各ユーザの無線通信装置１０００における受信品質が良好なサブキャリアを知ることができるので、受信品質が良好なＳＣ番号のサブキャリアに送信データが割り当てられるようにスケジューリングアルゴリズムに基づいてスケジューリングを行う。即ち、制御部２０８は、受信品質が良好な順番にＳＣ番号が整列しているので、ＳＣ番号の先頭から順番に送信データを割り当てるようにスケジューリングを行う。そして、制御部２０８は、送信に使用するサブキャリア情報をサブキャリア割当て部２１５へ出力する。
【００９９】
符号化部２０９は、あらかじめ設定されている固定の符号化率にて送信データを符号化して送信ＨＡＲＱ部２１０へ出力する。
【０１００】
変調部２１１は、あらかじめ設定されている固定の変調方式にて送信ＨＡＲＱ部２１０から入力した送信データを変調して多重部２１４へ出力する。
【０１０１】
次に、無線通信装置１０００におけるＣＱＩを選択する方法及び選択したＣＱＩを送信する際の送信信号のフォーマットについて、図３及び図１２を用いて説明する。
【０１０２】
図３において、受信品質測定部１１３−１〜１１３−ｎにおける受信品質測定結果より、１１番〜２１番のサブキャリア及び３４番〜４１番のサブキャリアの受信品質が良好である場合、ＳＣ選択部１２７は、１１番〜２１番のサブキャリア及び３４番〜４１番のサブキャリアのみのＳＣ番号情報を出力する。一方、ＳＣ選択部１２７は、１１番〜２１番のサブキャリア及び３４番〜４１番のサブキャリア以外のサブキャリアのＳＣ番号情報は出力しない。
【０１０３】
図１２は、無線通信装置１０００から基地局装置１１００へ送信される信号のフォーマットを示すものである。多重部１２２から出力される制御情報は、図１２に示すように、ＳＣ選択部１２７にて選択されたサブキャリアの６ビットからなるＳＣ番号情報と１ビットのＡＣＫ／ＮＡＣＫ信号とが時分割多重された信号である。
【０１０４】
図１３は、無線通信装置１０００から基地局装置１１００へ送信される信号のフォーマットの他の例を示すものである。多重部１２２から出力される制御情報は、図１３に示すように、先頭から６４ビットの６４個の各サブキャリアのＳＣ番号情報と１ビットのＡＣＫ／ＮＡＣＫ信号が時分割多重された信号である。ＳＣ番号情報は、６４個のサブキャリアの１番のサブキャリアから順番に時分割多重されるものであり、選択されたサブキャリアのＳＣ番号情報は「１」とし、選択されていないサブキャリアのＳＣ番号情報は「０」とする。したがって、１ビット目、２ビット目〜１０ビット目、２２ビット目〜３３ビット目及び４２ビット目〜６４ビット目までは「０」となり、１１ビット目〜２１ビット目及び３４ビット目〜４１ビット目までは「１」となる。
【０１０５】
このように、本実施の形態４によれば、基地局装置から指示された個数の受信品質が良好なサブキャリアを選択して、選択したサブキャリアのＳＣ番号情報を送信するので、ＣＱＩとＳＣ番号情報の両方を送信する場合に比べて上り回線にて送信する信号量を減らすことにより、送信できるデータ容量を増やすことができるとともに、消費電力を小さくすることができ、他の無線通信装置に対する干渉を減少させることによりシステム容量を増大させることができる。また、本実施の形態４によれば、ＣＱＩを生成するサブキャリアを選択する際の指示は、基地局装置からＣＱＩの個数を指示する指示情報を送信するだけで良いので、下り回線において、送信する信号量を増大させることなく上り回線の送信する信号量を減らすことができる。また、本実施の形態４によれば、基地局装置は、あらかじめ固定にて設定されている符号化率を用いた符号化及び変調方式等を行えば良いので、符号化処理及び変調処理等の処理を簡単にすることができることにより回路及び装置を小型化することができるとともに、製造コストを低減することができる。
【０１０６】
（実施の形態５）
図１４は、本発明の実施の形態５に係る無線通信装置１４００の構成を示すブロック図である。
【０１０７】
本実施の形態５に係る無線通信装置１４００は、図１に示す実施の形態１に係る無線通信装置１００において、図１４に示すように、符号化部１１５、変調部１１６、符号化部１１７、変調部１１８及びＳＣ選択部１２７を除き、しきい値判定部１４０１、ＣＱＩ用拡散コード生成部１４０２、使用サブキャリア選択部１４０３及び拡散部１４０４を追加する。なお、図１４においては、図１と同一構成である部分には同一の符号を付してその説明は省略する。
【０１０８】
選択手段であるしきい値判定部１４０１は、ＣＱＩ生成部１１４から入力した選択用受信品質情報であるＣＱＩと復号部１０７から入力したＣＱＩしきい値情報とを用いて、受信品質がしきい値以上であるＣＱＩのみを選択し、選択したＣＱＩをＣＱＩ用拡散コード生成部１４０２へ出力するとともに、選択したＣＱＩのＳＣ番号情報を使用サブキャリア選択部１４０３へ出力する。しきい値判定部１４０１は、上記実施の形態２におけるしきい値判定部６０１と同様に、選択したＣＱＩがレベル１〜８の８段階の内のいずれのレベルであるかを示す８段階の情報を出力する方法、または相対値の情報を出力する方法の何れかを採用してしきい値判定をすることができる。なお、全てのサブキャリアのＣＱＩの中からしきい値以上のＣＱＩを選択する場合に限らず、ＣＱＩを生成する前に受信品質がしきい値以上のサブキャリアを選択し、選択されたサブキャリアのＣＱＩのみを生成するようにしても良い。
【０１０９】
拡散コード選択手段であるＣＱＩ用拡散コード生成部１４０２は、ＣＱＩと拡散コードとを関係付けた拡散コード選択用情報であるＣＱＩ用拡散コード情報を保存する参照テーブルを有している。そしてＣＱＩ用拡散コード生成部１４０２は、しきい値判定部１４０１から入力したＣＱＩを用いてＣＱＩ用拡散コード情報を参照することにより拡散コードを選択して、選択した拡散コード情報を拡散部１４０４へ出力する。ＣＱＩ用拡散コード情報における拡散コードは、各ユーザの無線通信装置１４００にて異なるコードであり、かつＣＱＩ毎に異なるコードである。
【０１１０】
割り当て手段である使用サブキャリア選択部１４０３は、変調部１２１から入力した誤り判定信号であるＡＣＫ信号またはＮＡＣＫ信号を、しきい値判定部１４０１から入力したＳＣ番号情報より選択されたサブキャリアに割り当てて拡散部１４０４へ出力する。ここで、使用サブキャリア選択部１４０３は、しきい値判定部１４０１から複数のＳＣ番号情報が入力した場合には、ＳＣ番号情報により通知された複数のサブキャリアにＡＣＫ信号またはＮＡＣＫ信号を割り当てる。
【０１１１】
拡散部１４０４は、使用サブキャリア選択部１４０３から入力したＡＣＫ信号またはＮＡＣＫ信号が割り当てられたサブキャリアに対して、ＣＱＩ用拡散コード生成部１４０２から入力した拡散コードを用いて拡散処理して多重部１２２へ出力する。
【０１１２】
次に、本実施の形態５に係る基地局装置の構成について、図１５を用いて説明する。図１５は、基地局装置１５００の構成を示すブロック図である。
【０１１３】
本実施の形態５に係る基地局装置１５００は、図２に示す実施の形態１に係る基地局装置２００において、図１５に示すように、逆拡散部１５０１及び判定部１５０２を追加する。なお、図１５においては、図２と同一構成である部分には同一の符号を付してその説明は省略する。
【０１１４】
制御情報抽出部２０５、復調部２０６、復号部２０７、符号化部２０９、送信ＨＡＲＱ部２１０、変調部２１１、符号化部２１２、変調部２１３、逆拡散部１５０１及び判定部１５０２は、送信データ処理部１５０３−１〜１５０３−ｎを構成する。送信データ処理部１５０３−１〜１５０３−ｎは、ユーザ数設けられるものであり、各送信データ処理部１５０３−１〜１５０３−ｎは、１ユーザに送信する送信データの処理を行う。
【０１１５】
逆拡散部１５０１は、基地局装置１５００が通信を行っている１のユーザの無線通信装置１４００にて使用される複数の拡散コードを記憶している。そして、逆拡散部１５０１は、制御情報抽出部２０５から入力した全ての各サブキャリアについて、記憶している拡散コードにて逆拡散処理して判定部１５０２へ出力する。なお、各無線通信装置１４００は、異なる拡散コードを使用しているため、各送信データ処理部１５０３−１〜１５０３−ｎの逆拡散部１５０１は、各々異なる拡散コードを記憶している。
【０１１６】
判定部１５０２は、拡散コードとＣＱＩとを関係付けたＣＱＩ用拡散コード情報を保存する参照テーブルを有しているとともに、１のユーザの無線通信装置１４００が使用している拡散コードを全て記憶している。なお、各無線通信装置１４００は、異なる拡散コードを使用しているため、各送信データ処理部１５０３−１〜１５０３−ｎの判定部１５０２は、各々異なる拡散コードを記憶している。このＣＱＩ用拡散コード情報は、ＣＱＩ用拡散コード生成部１４０２と共通のものである。判定部１５０２は、逆拡散部１５０１から入力した受信信号の逆拡散出力をサブキャリア毎に求め、サブキャリア毎の最も大きな逆拡散出力としきい値（第３しきい値）とを比較する。そして、判定部１５０２は、最も大きな逆拡散出力がしきい値以上であるサブキャリアは、無線通信装置１４００にて選択されたサブキャリアであるものと判定し、最も大きな逆拡散出力の逆拡散に用いた拡散コードを用いてＣＱＩ用拡散コード情報を参照することにより、最も大きな逆拡散出力がしきい値以上のサブキャリアのＣＱＩを選択して、選択したＣＱＩを制御部２０８へ出力する。このとき、逆拡散出力はフェージングによる受信電力変動を考慮してパイロットの受信電力との相対値で表す。
【０１１７】
復調部２０６は、判定部１５０２から入力したＡＣＫ信号またはＮＡＣＫ信号を復調して復号部２０７へ出力する。
【０１１８】
復号部２０７は、復調部２０６から入力したＡＣＫ信号またはＮＡＣＫ信号の復調結果を復号化して送信ＨＡＲＱ部２１０へ出力する。
【０１１９】
制御部２０８は、判定部１５０２から入力した各ユーザの無線通信装置１４００のＣＱＩより、スケジューリングアルゴリズムに基づいてスケジューリングを行うとともに、変調多値数及び符号化率等のＭＣＳを適応的に選択する。即ち、制御部２０８は、判定部１５０２から入力したサブキャリア毎のＣＱＩより、各無線通信装置１４００についてのサブキャリア毎の受信品質を判定することができるので、各無線通信装置１４００についての各サブキャリアの受信品質に応じたＭＣＳを選択する。制御部２０８は、使用可能なサブキャリア数を把握しており、使用可能なサブキャリアの範囲内にて各無線通信装置１４００へ送信する送信データをサブキャリア毎に割り当てる。この時、制御部２０８は、判定部１５０２からＣＱＩが入力しないサブキャリアについての受信品質は、最も悪いものとして割り当てを行う。そして、制御部２０８は、各サブキャリアについての選択した符号化率情報を符号化部２０９へ出力し、各サブキャリアについての選択した変調方式情報を変調部２１１へ出力するとともに、スケジューリングにより各無線通信装置１４００に割り当てたサブキャリアの情報をサブキャリア割当て部２１５へ出力する。
【０１２０】
次に、無線通信装置１４００におけるサブキャリアを選択する方法について、図３を用いて説明する。
【０１２１】
使用サブキャリア選択部１４０３は、１１番目〜２１番目のサブキャリア及び３４番目〜４１番目のサブキャリアにＡＣＫ信号またはＮＡＣＫ信号を割り当てる。そして、多重部１２２にて多重された制御情報は、複数のＡＣＫ信号またはＮＡＣＫ信号が時分割多重された信号である。因みに、図３の場合には、複数のＡＣＫ信号またはＮＡＣＫ信号を送信することになるが、ＣＱＩが５ビット必要であるのに対してＡＣＫ信号またはＮＡＣＫ信号は１ビットであるので、全体的な信号量は減少させることができる。
【０１２２】
このように、本実施の形態５によれば、受信品質が良好なサブキャリアを選択して、選択したサブキャリアにＡＣＫ信号またはＮＡＣＫ信号を割り当てることにより送信するので、上り回線にて送信する信号量を減らすことにより、送信できるデータ容量を増やすことができるとともに、消費電力を小さくすることができ、他の無線通信装置に対する干渉を減少させることによりシステム容量を増大させることができる。また、本実施の形態５によれば、再送を要求するか否かのＡＣＫ信号またはＮＡＣＫ信号とＣＱＩに相当する受信品質情報とを兼用することができるとともに、ＣＱＩ及びＳＣ番号情報は送信しないので、上り回線にて送信する信号量を極限まで少なくすることができる。また、本実施の形態５によれば、ＣＱＩを生成するサブキャリアを選択する際の指示は、基地局装置からＣＱＩの個数を指示する指示情報を送信するだけで良いので、下り回線において、送信する信号量を増大させることなく上り回線の送信する信号量を減らすことができる。
【０１２３】
なお、本実施の形態５において、無線通信装置１４００は、ユーザ固有の拡散コードを選択してＡＣＫ信号またはＮＡＣＫ信号を割り当てたサブキャリアを拡散することとしたが、これに限らず、ユーザ固有のスクランブリングコードを選択して、選択したスクランブリングコードを用いてＡＣＫ信号またはＮＡＣＫ信号を割り当てたサブキャリアをスクランブリングしても良い。
【０１２４】
上記実施の形態１〜実施の形態５において、通信帯域内Ｆ１に６４個のサブキャリアを割り当てることとしたが、これに限らず、６４個以外の任意の数のサブキャリアを割り当てることが可能である。また、上記実施の形態１〜実施の形態５の無線通信装置は、通信端末装置に適用可能である。また、上記実施の形態３〜実施の形態５においては、選択するサブキャリアは各サブキャリアの受信品質の閾値判定によって決定していたが、実施の形態１のように上位局から通知されるサブキャリア数だけ選択するようにしても良い。
【０１２５】
なお、上記各実施の形態の説明に用いた各機能ブロックは、典型的には集積回路であるＬＳＩとして実現される。これらは個別に１チップ化されても良いし、一部又は全てを含むように１チップ化されても良い。
【０１２６】
ここでは、ＬＳＩとしたが、集積度の違いにより、ＩＣ、システムＬＳＩ、スーパーＬＳＩ、ウルトラＬＳＩと呼称されることもある。
【０１２７】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【０１２８】
さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。
【０１２９】
本明細書は、２００３年８月６日出願の特願２００３−２８８１６２に基づくものである。この内容はすべてここに含めておく。
【産業上の利用可能性】
【０１３０】
本発明は、送信する制御信号量を減らすことにより、送信できるデータ容量を増やすことができるとともに、消費電力を小さくすることができ、他の無線通信装置に対する干渉を減少させることによるシステム容量を増大させる効果を有し、受信品質を報告するのに有用である。
【図１】
2010200347.tif 000003
【図２】
2010200347.tif 000004
【図３】
2010200347.tif 000005
【図４】
2010200347.tif 000006
【図５】
2010200347.tif 000007
【図６】
2010200347.tif 000008
【図７】
2010200347.tif 000009
【図８】
2010200347.tif 000010
【図９】
2010200347.tif 000011
【図１０】
2010200347.tif 000012
【図１１】
2010200347.tif 000013
【図１２】
2010200347.tif 000014
【図１３】
2010200347.tif 000015
【図１４】
2010200347.tif 000016
【図１５】
2010200347.tif 000017